(57)【要約】【課題】  内部の商品が視認可能な商品収納容器において、製造コストの増加を抑えながら、内部の商品を確実に保護できるようにする。【解決手段】  内箱部１は、第１底面部１０と、第１底面部１０から略直角に折り曲げて形成される第１側面部１１〜第４側面部１４と、第３側面部１３の上側先端部から内側に開閉可能に折り曲げて形成される蓋部１５と、第２側面部１２及び第４側面部１４の上側先端部から内側に折り曲げて形成される第１規制部１６及び第２規制部１７とを有し、内部に商品Ｘが収納可能な直方体形状の箱である。第１底面部１０、第１側面部１１〜第４側面部１４、蓋部１５、第１規制部１６及び第２規制部１７は、１枚の透明シートにより一体成形されている。第１規制部１６及び第２規制部１７は、商品Ｘの両側部に弾性接触可能に設けられ、商品Ｘの移動を規制するためのものである。【選択図】      図７
2006008197.tif 000002
【特許請求の範囲】
【請求項１】
商品を収納する箱状の商品収納容器であって、
底面部と、
前記底面部の外周を囲んで内部に前記商品が収納される第１収納空間を生成する側面部と、
前記側面部の上側先端部の少なくとも一部を内側に折り曲げて、前記第１収納空間に収納される前記商品の側部に弾性接触可能に形成され、前記商品の移動を規制する規制部とを備え、
前記底面部、前記側面部及び前記規制部は、１枚の透明樹脂製のシートを折り曲げて一体的に形成されている、商品収納容器。
【請求項２】
前記商品の付属品が収納される第２収納空間を前記底面部との間に形成するとともに、表面に前記商品が載置される台座部をさらに備えている、請求項１に記載の商品収納容器。
【請求項３】
前記台座部の表面の一部が切り欠かれて形成され、前記商品を挟持する切り欠き部をさらに備えている、請求項２に記載の商品収納容器。
【請求項４】
前記台座部は、１枚の紙製のシートを折り曲げて一体的に形成されている、請求項２又は３に記載の商品収納容器。
【請求項５】
前記規制部が形成されていない前記側面部の先端部に設けられ、前記第１収納空間を閉塞する開閉可能な蓋部をさらに備えている、請求項１から４のいずれか１項に記載の商品収納容器。
【請求項６】
前記蓋部は、１枚の透明樹脂製のシートを折り曲げて、前記底面部、前記側面部及び前記規制部と一体的に形成されている、請求項５に記載の商品収納容器。
【請求項７】
前記商品が外部に露出可能な開口部を有し、前記底面部及び前記側面部の外側に装着されるカバー部をさらに備えている、請求項１から６のいずれか１項に記載の商品収納容器。
【請求項８】
前記カバー部は、１枚の紙製のシートを折り曲げて一体的に形成されている、請求項７に記載の商品収納容器。
【請求項９】
前記底面部は、略矩形になるように形成されており、
前記側面部は、前記底面部から略直角に折れ曲がり、それぞれが略矩形になるように４箇所に形成されており、
前記規制部は、４箇所の前記側面部のうちそれぞれが対向する２箇所の前記側面部の上側先端部から内側に折れ曲がるように２箇所に形成されている、請求項１から８のいずれか１項に記載の商品収納容器。
【発明の詳細な説明】
【技術分野】
【０００１】
本発明は、商品収納容器、特に、商品を収納する箱状の商品収納容器に関する。
【背景技術】
【０００２】
近年、多くの商品は、箱状の商品収納容器に収納されて店頭に並べられている。従来の収納容器は、たとえばウレタン樹脂等の透明シートから形成された箱状のものである。この商品収納容器は、箱体の上面側又は底面側に別体で設けられた蓋体が開閉可能に装着されており、そのいずれか一方を開閉して箱体の内部に商品が収納されている。このような商品収納容器は、透明な合成樹脂により形成されているので、内部に収納された商品を外部から目視可能である。このため、消費者は店頭に並べられた収納容器を開封することなく内部の商品を目視できるので、消費者に商品をアピールすることにより、大きな展示効果を得ることができる。
【０００３】
このような商品収納容器では、一般に、商品を工場から店頭へ搬送したり、商品を保管したりする際に、振動や落下等により外部から衝撃を受けると、商品の収納姿勢が乱れたり、商品が損傷してしまうおそれがある。そこで、外部からの衝撃を緩和し内部の商品を保護するために、発砲スチロール製や紙製のクッション材を商品の周囲に充填することが考えられる。しかし、この商品収納容器は、透明な合成樹脂により形成され、内部の商品を外部から目視可能にしたものであるから、このようなクッション材を充填すると、外部からの商品の視認性を低下させるといった不具合を引き起こすおそれがある。
【０００４】
そこで、このような不具合を解消するために、箱体と蓋体の開口部に伸縮性の透明シートを張り付け、２つの透明シートの間に商品を挟み込んで弾性的に支持する構成の商品収納容器が知られている（たとえば、特許文献１参照）。この商品収納容器では、２つの透明シートにより商品を挟み込んで弾性的に支持しているので、外部からの衝撃を緩和し内部の商品を保護できるとともに、透明シートによって商品の視認性低下を抑えることができる。
【特許文献１】特開平１０−４５１７１号公報
【発明の開示】
【発明が解決しようとする課題】
【０００５】
前記従来の商品収納容器では、箱体と蓋体の開口部に伸縮性の透明シートを張り付け、２つの透明シートの間に商品を挟み込んで弾性的に支持している。この商品収納容器では、蓋体は箱体に開閉可能に別体で設けられているので、箱体及び蓋体をそれぞれ１つの透明シートで形成したとしても、商品を挟み込む２つの透明シートと合わせて４つの透明シートが必要になる。また、箱体及び蓋体を１つの透明シートで一体成形した場合においても、少なくとも３つ以上の透明シートが必要になる。このため、透明シートを加工する製造工程が多くなるので、製造コストが増加するおそれが生じる。
【０００６】
また、２つの透明シートは箱体と蓋体の開口部にそれぞれ設けられているので、商品は蓋体を箱体に装着したときにのみ、２つの透明シートに挟み込まれている。このため、蓋体の箱体に対する固定が強固に行われていない場合には、２つの透明シートが商品を押さえることができなくなり、内部の商品を確実に保護できないことがある。
【０００７】
本発明の課題は、内部の商品が視認可能な商品収納容器において、製造コストの増加を抑えながら、内部の商品を確実に保護できるようにすることにある。
【課題を解決するための手段】
【０００８】
発明１に係る商品収納容器は、商品を収納する箱状の商品収納容器であって、底面部と、底面部の外周を囲んで内部に商品が収納される第１収納空間を生成する側面部と、側面部の上側先端部の少なくとも一部を内側に折り曲げて第１収納空間に収納される商品の側部に弾性接触可能に形成され商品の移動を規制する規制部とを備えている。底面部、側面部及び規制部は、１枚の透明樹脂製のシートを折り曲げて一体的に形成されている。
【０００９】
この商品収納容器では、底面部、側面部及び規制部が、透明樹脂製のシートにより形成されているので、内部の商品を外部から目視可能となっている。さらに、この商品収納容器は、側面部の上側先端部の少なくとも一部が内側に折れ曲がり、商品の側部に弾性接触する規制部を有している。ここでは、規制部によって商品の移動を側部方向から規制することにより、従来のように箱体及び蓋体に設けられた２つの透明シートによって商品の移動を蓋体方向から規制する場合に比して、蓋体の固定状況に関わらず商品の移動を確実に規制できる。また、底面部、側面部及び規制部は、１枚の透明シートを折り曲げて一体成形されているので、従来のように３つ以上の透明シートが不要になり、このため透明シートを加工する製造工程を減少できる。したがって、内部の商品が視認可能な商品収納容器にこのような規制部を設けることにより、製造コストの増加を抑えながら、内部の商品を確実に保護することができる。
【００１０】
発明２に係る商品収納容器は、発明１の商品収納容器において、商品の付属品が収納される第２収納空間を底面部との間に形成するとともに、表面に商品が載置される台座部をさらに備えている。この場合、たとえば商品収納容器に対して比較的小さい商品である場合にも、台座部の表面に商品を載置することにより、規制部を商品の側部に接触させやすくなるので、商品の移動規制が容易になる。また、台座部を不透明な部材により形成することにより、台座部の内部の第２収納空間に収納された商品の付属品を外部から視認できなくすることができる。
【００１１】
発明３に係る商品収納容器は、発明２の商品収納容器において、台座部の表面の一部が切り欠かれて形成され、商品を挟持する切り欠き部をさらに備えている。この場合、切り欠き部によって商品を挟持することにより、商品の移動規制がより確実になる。
【００１２】
発明４に係る商品収納容器は、発明２又は３の商品収納容器において、台座部は、１枚の紙製のシートを折り曲げて一体的に形成されている。この場合、一般に、安価な紙製のシートを折り曲げて台座部を形成することにより、製造コストの増加を抑えることができる。
【００１３】
発明５に係る商品収納容器は、発明１から４のいずれかの商品収納容器において、規制部が形成されていない側面部の先端部に設けられ、第１収納空間を閉塞する開閉可能な蓋部をさらに備えている。この場合、蓋部によって第１収納空間を閉塞することにより、内部に収納された商品を保護できる。
【００１４】
発明６に係る商品収納容器は、発明５の商品収納容器において、蓋部は、１枚の透明樹脂製のシートを折り曲げて底面部、側面部及び規制部と一体的に形成されている。この場合、蓋部、底面部、側面部及び規制部は、１枚の透明シートを折り曲げて一体成形されているので、透明シートを加工する製造工程を減少でき、このため製造コストの増加を抑えることができる。
【００１５】
発明７に係る商品収納容器は、発明１から６のいずれかの商品収納容器において、商品が外部に露出可能な開口部を有し、底面部及び前記側面部の外側に装着されるカバー部をさらに備えている。この場合、カバー部により底面部及び側面部の外側を保護しながら、開口部から内部の商品を視認できる。
【００１６】
発明８に係る商品収納容器は、発明７の商品収納容器において、カバー部は、１枚の紙製のシートを折り曲げて一体的に形成されている。この場合、一般に、安価な紙製のシートを折り曲げてカバー部を形成することにより、製造コストの増加を抑えることができる。
【００１７】
発明９に係る商品収納容器は、発明１から８のいずれかの商品収納容器において、底面部は、略矩形になるように形成されている。側面部は、底面部から略直角に折れ曲がり、それぞれが略矩形になるように４箇所に形成されている。規制部は、４箇所の側面部のうちそれぞれが対向する２箇所の側面部の上側先端部から内側に折り曲げて２箇所に形成されている。この場合、対向する２箇所の側面部の上側先端部から内側に折り曲げて２箇所に形成された２つの規制部によって内部に収納された商品を挟み込むことにより、商品の移動を容易に規制することができる。
【発明の効果】
【００１８】
本発明によれば、内部の商品が視認可能な商品収納容器において、側面部の上側先端部から内側に折れ曲がり商品の側部に弾性接触して商品の移動を規制する規制部を設け、底面部、側面部及び規制部を１枚の透明樹脂製のシートを折り曲げて一体的に形成することにより、製造コストの増加を抑えながら、内部の商品を確実に保護することができる。
【発明を実施するための最良の形態】
【００１９】
本発明の一実施形態が採用された商品収納容器は、図７及び図８に示すように、商品Ｘを内部に収納し、店頭に並べるためのものである。商品Ｘは、たとえば両軸受リールであって、図９に示すように、リールボディ９１と、リールボディ９１の側方に配置されたスプール回転用ハンドル９２と、リールボディ９１の下部に固定されリールを釣竿に装着するための前後に長い金属製の竿装着脚部９３とを有している。
【００２０】
商品収納容器は、内部に商品Ｘが収納される内箱部１（図１及び図４参照）と、内箱部１の内部に装着される台座部２（図２及び図５参照）と、内箱部１の外側に装着されるカバー部３（図３及び図６参照）とを備えている。内箱部１は、１枚の透明樹脂製のシートを折り曲げて一体的に形成されており、台座部２及びカバー部３は、それぞれ不透明な１枚の紙製のシートを折り曲げて一体的に形成されている。なお、図１から図３は、内箱部１、台座部２及びカバー部３をそれぞれ展開した展開図を示したものであり、紙面側が表面側となるように図示されている。
【００２１】
内箱部１は、図１及び図４に示すように、たとえばポリプロピレン（ＰＰ）やポリエチレン（ＰＥ）等の透明な合成樹脂製の１枚のシートを折り曲げて形成した箱状のものである。
【００２２】
内箱部１は、図１に展開して示すように、略矩形になるように形成された第１底面部１０と、第１底面部１０の各４辺から略直角に折り曲げて形成される第１側面部１１、第２側面部１２、第３側面部１３及び第４側面部１４と、第３側面部１３の上側先端部から内側に開閉可能に折り曲げて形成される蓋部１５と、第２側面部１２及び第４側面部１４の上側先端部から内側に折り曲げて形成される第１規制部１６及び第２規制部１７とを有し、内部に商品Ｘが収納可能な直方体形状の箱である。第１底面部１０、第１側面部１１、第２側面部１２、第３側面部１３、第４側面部１４、蓋部１５、第１規制部１６及び第２規制部１７は、１枚の透明シートにより一体成形されている。第１規制部１６及び第２規制部１７は、図７に示すように、内部に収納された商品Ｘの両側部に弾性接触可能に設けられ、商品Ｘの移動を規制するためのものである。
【００２３】
第１底面部１０は、図１に展開して示すように、第１側面部１１、第２側面部１２、第３側面部１３及び第４側面部１４の一側にそれぞれ形成された第１部分底面部１０ａ、第２部分底面部１０ｂ、第３部分底面部１０ｃ及び第４部分底面部１０ｄを有している。第１部分底面部１０ａ、第２部分底面部１０ｂ、第３部分底面部１０ｃ及び第４部分底面部１０ｄの先端部はそれぞれが重ね合わせて係止可能な係止突起及び係止溝が形成されており、これらの係止突起及び係止溝を係止することにより外形が略矩形の第１底面部１０を生成する（図４参照）。
【００２４】
第１側面部１１、第２側面部１２、第３側面部１３及び第４側面部１４は、図１に展開して示すように、個々の部分がそれぞれ矩形であって、一方向に連続して順次直角方向に折り返し可能に形成されている。第４側面部１４の一方向側の端部には、第１側面部１１の端部に両面テープ等により接合可能な第１接合部１４ａがさらに連続して形成されている。第１側面部１１の第１底面部１０ａと逆側端部には、閉じた蓋部１５を係止するための第１被係止部１１ａと、閉じた蓋部１５を開かないように係止するために第１側面部１１の中央部分の一部が突出した第１係止部１１ｂとを有している。第１被係止部１１ａは、第１係止部１１ｂの基端部から第１側面部１１にわたって一部が切り欠かれて形成されたものである。第１係止部１１ｂは、先端部が第１側面部１１より突出して第１側面部１１の端面位置から略直角に折り曲げ可能に形成されている。第１側面部１１、第２側面部１２、第３側面部１３及び第４側面部１４は、図４に示すように、第１側面部１１と第３側面部１３とが対向し、第２側面部１２と第４側面部１４とが対向するように配置され、内部に収納空間を有する４角筒を生成している。
【００２５】
蓋部１５は、図１及び図４に示すように、第３側面部１３の第３底面部１０ｃと逆側端部に開閉可能に折り曲げて形成されている。蓋部１５は、先端部がさらに折れ曲がり可能に突出し第１側面部１１の第１被係止部１１ａに係止可能な第２係止部１５ａと、第２係止部１５ａの折れ曲がり部分の中央部が切り欠かれ第１側面部１１の第１係止部１１ｂが係止される第２被係止部１５ｂとを有している。ここでは、まず、蓋部１５を閉じた状態で、第１側面部１１の第１被係止部１１ａに蓋部１５の第２係止部１５ａを係止する。そして、蓋部１５の第２被係止部１５ｂに第１側面部１１の第１係止部１１ｂを係止して、蓋部１５が容易に開かないようになっている（図７参照）。
【００２６】
第１規制部１６及び第２規制部１７は、図１、図４及び図７に示すように、第２側面部１２及び第４側面部１４の上側先端部から内側に複数回折り曲げて形成されている。第１規制部１６は、内部に空間を有するように第２側面部１２の上側先端部から３回内側に折り曲げて形成されている。第２規制部１７は、内部に空間を有するように第４側面部１４の上側先端部から４回内側に折り曲げて形成され、さらに先端部両端に形成された第２接合部１７ａ及び第３接合部１７ｂが外側に折り曲げて、最初の折れ曲がり部分の内周面に両面テープ等により接合されている。ここでは、第１規制部１６及び第２規制部１７は、内部に空間を有するように折り曲げて形成されているので、図７に示すように、第１規制部１６及び第２規制部１７の間に商品Ｘを挟み込んだとき、商品Ｘの両側部を両側から押圧するような弾性力が生成される。特に、商品Ｘが両軸受リールである場合には、リールのリールボディ９１のハンドル９２装着側の側部Ａに第１規制部１６が弾性接触し、リールのリールボディ９１のハンドル９２装着側と逆側の側部Ｂに第２規制部１７が弾性接触することにより、リールの移動を規制している。
【００２７】
台座部２は、図７に示すように、内箱部１の第１底面部１０に装着され、表面に商品Ｘを載置するためのものである。台座部２は、たとえばダンボール紙等の不透明な１枚の紙製のシートを折り曲げて一体的に形成されたものであり、表面側に商品Ｘの名称や説明等が印刷されている。内箱部１は、透明シートを折り曲げて形成したものであるので、内箱部１の内部に装着された台座部２の印刷面は、外部から目視可能になっている。
【００２８】
台座部２は、図２及び図５に示すように、内箱部１の第１底面部１０よりやや小さくなるように略矩形になるように形成され第１底面部１０に装着される第２底面部２０と、第２底面部２０と同一形状に形成され裏面（非印刷面）が合わさるように折り曲げられる第３底面部２１と、第２底面部２０の両端に複数回折り曲げ可能に設けられ表面に商品Ｘが載置される第１載置部２２及び第２載置部２３とを有している。また、台座部２は、第２底面部２０の周囲に連続して形成され、略直角に折り曲げたときに第３底面部２１の周囲を覆う第５側面部２４、第６側面部２５、第７側面部２６及び第８側面部２７とをさらに備えている。第５側面部２４は、第２底面部２０の第３底面部２１の逆側に形成され、第７側面部２６及び第８側面部２７は、第２底面部２０の第１載置部２２及び第２載置部２３との間に形成されている。第６側面部２５は、第３底面部２１との間に第１切り込み部２５ａが形成され、第７側面部２６の第３底面部２１側端部に折り曲げ可能に一体的に形成されている。
【００２９】
第１載置部２２は、図５及び図７に示すように、第２底面部２０に折り曲げられた第３底面部２１に対して傾斜するように折り曲げ可能であり、先端部は第３底面部２１の表面側に接触可能である。また、第１載置部２２には、表面の一部が略長円形に切り欠かれた第１切り欠き部２２ａが形成されており、商品Ｘの一部を挟持することにより、商品Ｘの移動を規制している。ここでは、商品Ｘが両軸受リールである場合には、リールの竿装着脚部９３（図９参照）の一側を第１切り欠き部２２ａに挿入することにより、リールの移動を規制している。
【００３０】
第２載置部２３は、図５及び図７に示すように、先端部が第１載置部２２の先端部と対向するように配置され、第２底面部２０に折り曲げられた第３底面部２１に対してやや傾斜するように複数回折り曲げ可能である。第２載置部２３は、第１載置部２２の幅より短くなるように第５側面部２４と間隔をあけて形成されており、このため第５側面部２４側の第１載置部２２先端部対向面には段差が形成されている。ここでは、商品Ｘが両軸受リールである場合には、段差部分にリールのハンドル９２を載置できる。第２載置部２３は、先端部に両面テープ等により第３底面部２１の表面に接合可能な第２切り欠き部２３ａがさらに連続して形成されており、第２載置部２３と第３底面部２１との間には、図示しない商品Ｘの付属品（取扱説明書や代替部品等）が収納可能な略台形筒状の空間が形成されている。
【００３１】
また、第２載置部２３には、表面の一部が略長円形に切り欠かれた第２切り欠き部２３ａが形成されており、商品Ｘの一部を挟持することにより、商品Ｘの移動を規制している。ここでは、商品Ｘが両軸受リールである場合には、リールの竿装着脚部９３（図９参照）の他側を第２切り欠き部２３ａに挿入することにより、リールの移動を規制している。さらに、第２切り欠き部２３ａが形成される面には、先端部分から折り曲げ部分まで切り込まれた第２切り込み部２３ｂが形成されている。このような第２切り込み部２３ｂを形成することにより、図５に示すように、第２切り欠き部２３ａが形成されない面を短く形成して第３底面部２１に対してやや傾斜するように接触させ、第２切り欠き部２３ａが形成される面を長く形成して第２切り欠き部２３ａが形成されない面と異なる傾斜角で第３底面部２１に対してやや傾斜するように接触させることができる。
【００３２】
第５側面部２４、第６側面部２５、第７側面部２６及び第８側面部２７は、図５及び図７に示すように、第２底面部２０に折り曲げられた第３底面部２１の周囲を覆うように略直角に折り曲げられ、外側面側に印刷面が位置するように形成されている。このため、台座部２を内箱部１に装着したときに、印刷面が外部から目視可能になっている（図７参照）。
【００３３】
カバー部３は、図３及び図６に示すように、内箱部１の外側に装着される一部が切り欠かれた筒状のものである。カバー部３は、たとえばダンボール紙等の不透明な１枚の紙製のシートを折り曲げて一体的に形成されたものであり、表面側に商品Ｘの名称や説明等が印刷されている。
【００３４】
カバー部３は、図３に展開して示すように、一方向に連続して順次直角方向に折り返し可能に形成され、第９側面部３０、第１０側面部３１、第１１側面部３２及び第１２側面部３３を有している。第１２側面部３３の一方向側の端部には、第９側面部３０の端部に両面テープ等により接合可能な第４接合部３３ａがさらに連続して形成されている。第１０側面部３１及び第１１側面部３２の連設する一側には、第１開口部３１ａ及び第２開口部３２ａが形成されている。
【００３５】
第１開口部３１ａ及び第２開口部３２ａは、図６及び図８に示すように、第１０側面部３１及び第１１側面部３２の連設する部分を切り欠いて形成されたものであり、内箱部１の内部に収納された商品Ｘが視認可能な位置に形成されている。カバー部３の第９側面部３０、第１０側面部３１、第１１側面部３２及び第１２側面部３３は、それぞれ内箱部１の第１側面部１１、蓋部１５、第３側面部１３及び第１底面部１０に対応する部分の外側に装着されている。ここでは、図８に示すように、商品Ｘと、商品Ｘの移動を規制する透明な内箱部１の第１規制部１６と、透明な内箱部１の蓋部１５、第２側面部１２及び第３側面部１３と、台座部２の第１載置部２２、第２載置部２３及び第６側面部２５とが第１開口部３１ａ及び第２開口部３２ａから視認可能となっている。
【００３６】
このような商品収納容器を組み立てる手順について、以下に詳細に説明する。
内箱部１の蓋部１５を開き、さらに第１規制部１６及び第２規制部１７を開いた状態で台座部２を第２底面部２０が第１底面部１０に接するように装着する。次に、商品Ｘを台座部２の第１載置部２２及び第２載置部２３に載置し、商品Ｘの側部に第１規制部１６及び第２規制部１７がに弾性接触するように配置する。次に、内箱部１の蓋部１５を閉じ、カバー部３を第１開口部３１ａ及び第２開口部３２ａが商品Ｘが視認可能な向きに合わせて内箱部１の外側に装着する。
【００３７】
この商品収納容器では、内箱部１の第１底面部１０、第１側面部１１、第２側面部１２、第３側面部１３、第４側面部１４、蓋部１５、第１規制部１６及び第２規制部１７は、１枚の透明シートにより一体成形されているので、従来のように３つ以上の透明シートが不要になり、このため透明シートを加工する製造工程を減少できる。
【００３８】
また、内箱部１は、内部に収納された商品Ｘの両側部に弾性接触可能な位置に配置され、商品Ｘの移動を規制する第１規制部１６及び第２規制部１７が設けられている。ここでは、第１規制部１６及び第２規制部１７によって商品Ｘの移動を側部方向から規制することにより、従来のように箱体及び蓋体に設けられた２つの透明シートによって商品Ｘの移動を蓋体方向から規制する場合に比して、蓋体の固定状況に関わらず商品Ｘの移動を確実に規制することができる。したがって、このような構成により、製造コストの増加を抑えながら、内部の商品Ｘを確実に保護することができる。
【００３９】
さらに、ここでは商品Ｘとして両軸受リールを採用したが、この場合には、一般に、両軸受リールの外形は、形状が複雑かつ凹凸部が多く形成されている。このため、このような両軸受リールを従来の内箱部に収納すると、振動や落下等により外部から衝撃を受けたとき、両軸受リールが内箱部の内部で大きく移動し、両軸受リールの凹凸部が内箱部に衝突して両軸受リールが損傷してしまうおそれがある。しかし、このような両軸受リールを本発明の内箱部１に収納し、第１規制部１６及び第２規制部１７によって両軸受リールのリールボディ９１の側部を挟み込むことで、両軸受リールの移動を確実に規制でき、このため両軸受リールの損傷を防止することができる。
【００４０】
〔他の実施形態〕
（ａ）  前記実施形態では、商品収納容器として、内箱部１、台座部２及びカバー部３を有するものを例にあげて説明したが、これらの構成に限定されるものではなく、たとえば台座部２またはカバー部３を有さない構成にしてもよい。また、商品Ｘは両軸受リールに限定されるものではなく、スピニングリールや片軸受リール等の釣り用リールや、その他のあらゆる商品を収納可能な商品収納容器にも本発明を適用できる。
【００４１】
（ｂ）  前記実施形態では、台座部２及びカバー部３は、ダンボール紙等の不透明な１枚の紙製のシートを折り曲げて一体的に形成していたが、材質はこれに限定されるものではなく、たとえば不透明な合成樹脂製であってもよい。
【００４２】
（ｃ）  前記実施形態では、２つの第１規制部１６及び第２規制部１７を設けていたが、これらに限定されるものではなく、たとえば１つ又は複数の規制部を設ける構成にしてもよい。また、第１規制部１６及び第２規制部１７の形状や折り曲げる回数等も任意に設定できる。
【００４３】
（ｄ）  内箱部１、台座部２及びカバー部３は、前記実施形態の展開形状に限定されるものでなく、内箱部１、台座部２及びカバー部３が一体的に形成されていれば、他の展開形状であってもよい。また、内箱部１及びカバー部３は、前記実施形態の略直方体形状に限定されず、他の略多角柱形状や略円柱形状であってもよい。
【図面の簡単な説明】
【００４４】
【図１】本発明の一実施形態を採用した商品収納容器の内箱部の展開図。
【図２】前記商品収納容器の台座部の展開図。
【図３】前記商品収納容器のカバー部の展開図。
【図４】前記内箱部の斜視図。
【図５】前記台座部の斜視図。
【図６】前記カバー部の斜視図。
【図７】前記内箱部に前記台座部を装着したときの斜視図。
【図８】前記内箱部に前記カバー部を装着したときの斜視図。
【図９】前記商品収納容器に収納される両軸受リールの平面図。
【符号の説明】
【００４５】
１  内箱部
２  台座部
３  カバー部
１０  第１底面部
１１  第１側面部
１１ａ  第１被係止部
１１ｂ  第１係止部
１２  第２側面部
１３  第３側面部
１４  第４側面部
１４ａ  第１接合部
１５  蓋部
１５ａ  第２係止部
１５ｂ  第２被係止部
１６  第１規制部
１７  第２規制部
１７ａ  第２接合部
１７ｂ  第３接合部
２０  第２底面部
２１  第３底面部
２２  第１載置部
２２ａ  第１切り欠き部
２３  第２載置部
２３ａ  第２切り欠き部
２３ｂ  第２切り込み部
２４  第５側面部
２５  第６側面部
２５ａ  第１切り込み部
２６  第７側面部
２７  第８側面部
３０  第９側面部
３１  第１０側面部
３１ａ  第１開口部
３２  第１１側面部
３２ａ  第２開口部
３３  第１２側面部
３３ａ  第４接合部
Ｘ  商品
【図１】
2006008197.tif 000003
【図２】
2006008197.tif 000004
【図３】
2006008197.tif 000005
【図４】
2006008197.tif 000006
【図５】
2006008197.tif 000007
【図６】
2006008197.tif 000008
【図７】
2006008197.tif 000009
【図８】
2006008197.tif 000010
【図９】
2006008197.tif 000011